【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
近距離通信（ＮＦＣ）のための方法であって、前記方法は、
キャリア周波数のキャリア信号をアンテナ回路に適用すること、前記アンテナ回路は、共振周波数で共振する整合ネットワークとアンテナとを備える、と
インピーダンス値の範囲にわたってループバック信号を測定すること、前記ループバック信号は、前記アンテナ回路に結合された受信機によって受信された前記キャリア信号を備える、と、
前記ループバック信号において共振ピークを作り出すインピーダンス構成として較正インピーダンスを設定することと、
を備える方法。
【請求項２】
インピーダンス値の範囲にわたって前記ループバック信号を測定することは、
第１のインピーダンス構成を前記アンテナ回路に適用することと、
前記第１のインピーダンス構成に基づいて、前記ループバック信号の共振を測定することと、
適用すべき後続のインピーダンス構成が存在するかどうかを決定することと、
前記後続のインピーダンス構成を前記アンテナ回路に適用することと、
前記後続のインピーダンス構成に基づいて、前記ループバック信号の共振を測定することと、
を備える、請求項１に記載の方法。
【請求項３】
デフォルトのインピーダンスと前記較正インピーダンスとの間の差分に基づいて、インピーダンスオフセットを決定すること、ここにおいて、前記デフォルトのインピーダンスは、前記キャリア周波数に関連付けられた事前に構成された整合ネットワークのインピーダンスを備える、と、
前記較正インピーダンスを設定するために使用される前記キャリア周波数とは異なる第２のキャリア周波数を使用する動作のために、前記インピーダンスオフセットを前記整合ネットワークに適用することと、
をさらに備える、請求項１に記載の方法。
【請求項４】
インピーダンス値の前記範囲にわたって前記ループバック信号を測定することは、前記ループバック信号に比例するＤＣレベルを測定することを備え、前記ＤＣレベルは、インピーダンス値の前記範囲にわたって測定される、
請求項１に記載の方法。
【請求項５】
インピーダンス構成は、前記アンテナ回路において所与のインピーダンスを作り出す前記整合ネットワーク内の１つまたは複数のキャパシタに適用される一組の容量値を備える、
請求項１に記載の方法。
【請求項６】
前記キャリア信号は、前記アンテナ回路に結合されたＮＦＣイニシエータ送信機によって生成され、前記キャリア信号は、前記アンテナ回路に結合されたＮＦＣイニシエータ受信機によって受信される、
請求項１に記載の方法。
【請求項７】
近距離通信（ＮＦＣ）のための装置であって、前記装置は、
キャリア周波数のキャリア信号をアンテナ回路に適用するための手段、前記アンテナ回路は、共振周波数で共振する整合ネットワークとアンテナとを備える、と、
インピーダンス値の範囲にわたってループバック信号を測定するための手段、前記ループバック信号は、前記アンテナ回路に結合された受信機によって受信された前記キャリア信号を備える、と、
前記ループバック信号において共振ピークを作り出すインピーダンス構成として較正インピーダンスを設定するための手段と
を備える装置。
【請求項８】
インピーダンス値の範囲にわたって前記ループバック信号を測定するための前記手段は、
第１のインピーダンス構成を前記アンテナ回路に適用するための手段と、
前記第１のインピーダンス構成に基づいて、前記ループバック信号の共振を測定するための手段と、
適用すべき後続のインピーダンス構成が存在するかどうかを決定するための手段と、
前記後続のインピーダンス構成を前記アンテナ回路に適用するための手段と、
前記後続のインピーダンス較正に基づいて、前記ループバック信号の共振を測定するための手段と、
を備える、請求項７に記載の装置。
【請求項９】
デフォルトのインピーダンスと前記較正インピーダンスとの差分に基づいて、インピーダンスオフセットを決定するための手段、ここにおいて、前記デフォルトのインピーダンスは、前記キャリア周波数に関連付けられた事前に構成された整合ネットワークのインピーダンスを備える、と、
前記較正インピーダンスを設定するために使用される前記キャリア周波数とは異なる第２のキャリア周波数を使用する動作のために、前記インピーダンスオフセットを前記整合ネットワークに適用するための手段と
をさらに備える、請求項７に記載の装置。
【請求項１０】
実行されたときに、コンピュータに、請求項１乃至６のうちのいずれか一項に従った方法を実行させる命令を有するコンピュータ可読媒体を備えるコンピュータプログラム製品。
【手続補正２】
【補正対象書類名】明細書
【補正対象項目名】０１６１
【補正方法】変更
【補正の内容】
【０１６１】
[00172]本願の特許請求の範囲が、上述のまさにその構成およびコンポーネントのみに限定されないことが、理解されるべきである。様々な修正、変更、およびバリエーションは、特許請求の範囲から逸脱することなく、本明細書において説明されたシステム、方法、および装置の配置、動作、および詳細において作成され得る。
以下に本願の出願当初の特許請求の範囲に記載された発明を付記する。
［Ｃ１］
誘導的に結合された通信のための方法であって、
キャリア周波数のキャリア信号をアンテナ回路に適用すること、前記アンテナ回路は、共振周波数で共振する整合ネットワークとアンテナとを備える、と
インピーダンス値の範囲にわたってループバック信号を測定すること、前記ループバック信号は、前記アンテナ回路に結合された受信機によって受信された前記キャリア信号を備える、と、
前記ループバック信号において共振ピークを作り出すインピーダンス構成として較正インピーダンスを設定することと、
を備える方法。
［Ｃ２］
インピーダンス値の範囲にわたって前記ループバック信号を測定することは、
第１のインピーダンス構成を前記アンテナ回路に適用することと、
前記第１のインピーダンス構成に基づいて、前記ループバック信号の共振を測定することと、
適用すべき後続のインピーダンス構成が存在するかどうかを決定することと、
前記後続のインピーダンス構成を前記アンテナ回路に適用することと、
前記後続のインピーダンス構成に基づいて、前記ループバック信号の共振を測定することと、
を備える、Ｃ１に記載の方法。
［Ｃ３］
前記整合ネットワークのデフォルトのインピーダンスと前記較正インピーダンスとの間の差分に基づいて、インピーダンスオフセットを決定することと、
前記較正インピーダンスを設定するために使用される前記キャリア周波数とは異なる第２のキャリア周波数を使用する動作のために、前記インピーダンスオフセットを前記整合ネットワークに適用することと、
をさらに備える、Ｃ１に記載の方法。
［Ｃ４］
インピーダンス値の前記範囲にわたって前記ループバック信号を測定することは、前記ループバック信号に比例するＤＣレベルを測定することを備え、前記ＤＣレベルは、インピーダンス値の前記範囲にわたって測定される、
Ｃ１に記載の方法。
［Ｃ５］
インピーダンス構成は、前記アンテナ回路において所与のインピーダンスを作り出す前記整合ネットワーク内の１つまたは複数のキャパシタに適用される一組の容量値を備える、
Ｃ１に記載の方法。
［Ｃ６］
前記キャリア信号は、前記アンテナ回路に結合された近距離通信（ＮＦＣ）イニシエータ送信機によって生成され、前記キャリア信号は、前記アンテナ回路に結合されたＮＦＣイニシエータ受信機によって受信される、
Ｃ１に記載の方法。
［Ｃ７］
誘導的に結合された通信のための電子デバイスであって、
プロセッサと、
前記プロセッサと通信状態にあるメモリと、
前記メモリ内に記憶された命令であって、
キャリア周波数のキャリア信号をアンテナ回路に適用すること、前記アンテナ回路は、共振周波数で共振する整合ネットワークとアンテナとを備える、と、
インピーダンス値の範囲にわたってループバック信号を測定すること、前記ループバック信号は、前記アンテナ回路に結合された受信機によって受信された前記キャリア信号を備える、と、
前記ループバック信号において共振ピークを作り出すインピーダンス構成として較正インピーダンスを設定することと、
を前記プロセッサによって実行可能である前記命令、と
を備える電子デバイス。
［Ｃ８］
インピーダンス値の範囲にわたって前記ループバック信号を測定することを実行可能とする前記命令は、
第１のインピーダンス構成を前記アンテナ回路に適用することと、
前記第１のインピーダンス構成に基づいて、前記ループバック信号の共振を測定することと、
適用すべき後続のインピーダンス構成が存在するかどうかを決定することと、
前記後続のインピーダンス構成を前記アンテナ回路に適用することと、
前記後続のインピーダンス構成に基づいて、前記ループバック信号の共振を測定することと、
を実行可能な命令を備える、Ｃ７に記載の電子デバイス。
［Ｃ９］
前記整合ネットワークのデフォルトのインピーダンスと前記較正インピーダンスとの間の差分に基づいて、インピーダンスオフセットを決定することと、
前記較正インピーダンスを設定するために使用される前記キャリア周波数と異なる第２のキャリア周波数を使用する動作のために、前記インピーダンスオフセットを前記整合ネットワークに適用することと、
を実行可能な命令をさらに備える、Ｃ７に記載の電子デバイス。
［Ｃ１０］
インピーダンス値の範囲にわたって前記ループバック信号を測定することを実行可能とする前記命令は、前記ループバック信号に比例するＤＣレベルを測定することを実行可能な命令を備え、前記ＤＣレベルは、インピーダンス値の前記範囲にわたって測定される
Ｃ７に記載の電子デバイス。
［Ｃ１１］
インピーダンス構成は、前記アンテナ回路において所与のインピーダンスを作り出す前記整合ネットワーク内の１つまたは複数のキャパシタに適用される一組の容量値を備える、Ｃ７に記載の電子デバイス。
［Ｃ１２］
前記キャリア信号は、前記アンテナ回路に結合された近距離通信（ＮＦＣ）イニシエータ送信機によって生成され、前記キャリア信号は、前記アンテナ回路に結合されたＮＦＣイニシエータ受信機によって受信される、Ｃ７に記載の電子デバイス。
［Ｃ１３］
誘電結合された通信のための装置であって、
キャリア周波数のキャリア信号をアンテナ回路に適用するための手段、前記アンテナ回路は、共振周波数で共振する整合ネットワークとアンテナとを備える、と、
インピーダンス値の範囲にわたってループバック信号を測定するための手段、前記ループバック信号は、前記アンテナ回路に結合された受信機によって受信された前記キャリア信号を備える、と、
前記ループバック信号において共振ピークを作り出すインピーダンス構成として較正インピーダンスを設定するための手段と
を備える装置。
［Ｃ１４］
インピーダンス値の範囲にわたって前記ループバック信号を測定するための前記手段は、
第１のインピーダンス構成を前記アンテナ回路に適用するための手段と、
前記第１のインピーダンス構成に基づいて、前記ループバック信号の共振を測定するための手段と、
適用すべき後続のインピーダンス構成が存在するかどうかを決定するための手段と、
前記後続のインピーダンス構成を前記アンテナ回路に適用するための手段と、
前記後続のインピーダンス較正に基づいて、前記ループバック信号の共振を測定するための手段と、
を備える、Ｃ１３に記載の装置。
［Ｃ１５］
前記整合ネットワークのデフォルトのインピーダンスと前記較正インピーダンスとの差分に基づいて、インピーダンスオフセットを決定するための手段と、
前記較正インピーダンスを設定するために使用される前記キャリア周波数とは異なる第２のキャリア周波数を使用する動作のために、前記インピーダンスオフセットを前記整合ネットワークに適用するための手段と
をさらに備える、Ｃ１３に記載の装置。
［Ｃ１６］
命令を有する非一時的なコンピュータ可読媒体を備えるコンピュータプログラム製品であって、前記命令は、
電子デバイスに、キャリア周波数のキャリア信号をアンテナ回路に適用させるためのコード、前記アンテナ回路は、共振周波数で共振する整合ネットワークとアンテナとを備える、と、
前記電子デバイスに、インピーダンス値の範囲にわたってループバック信号を測定させるためのコード、前記ループバック信号は、前記アンテナ回路に結合された受信機によって受信された前記キャリア信号を備える、と、
前記電子デバイスに、前記ループバック信号において共振ピークを作り出すインピーダンス構成として較正インピーダンスを設定させるためのコードと、
を備える、コンピュータプログラム製品。
［Ｃ１７］
前記電子デバイスに、インピーダンス値の範囲にわたって前記ループバック信号を測定させるための前記コードは、
前記電子デバイスに、第１のインピーダンス構成を前記アンテナ回路に適用させるためのコードと、
前記電子デバイスに、前記第１のインピーダンス構成に基づいて、前記ループバック信号の共振を測定させるためのコードと、
前記電子デバイスに、適用すべき後続のインピーダンス構成が存在するかどうかを決定させるためのコードと、
前記電子デバイスに、前記後続のインピーダンス構成を前記アンテナ回路に適用させるためのコードと、
前記電子デバイスに、前記後続のインピーダンス構成に基づいて、前記ループバック信号の共振を測定させるためのコードと、
を備える、Ｃ１６に記載のコンピュータプログラム製品。
［Ｃ１８］
前記電子デバイスに、前記整合ネットワークのデフォルトのインピーダンスと前記較正インピーダンスとの間の差分に基づいて、インピーダンスオフセットを決定させるためのコードと、
前記電子デバイスに、前記較正インピーダンスを設定するために使用される前記キャリア周波数とは異なる第２のキャリア周波数を使用する動作のために、前記インピーダンスオフセットを前記整合ネットワークに適用させるためのコードと、
をさらに備える、Ｃ１６に記載のコンピュータプログラム製品。
［Ｃ１９］
誘導的に結合された通信のための方法であって、
同調範囲においてキャリア周波数のキャリア信号を適用すること、前記アンテナ回路は、共振周波数で共振する整合ネットワークとアンテナとを備える、と、
ループバック信号において共振ピークを作り出す前記適用されたキャリア周波数の前記キャリア信号についての較正インピーダンスを決定すること、前記ループバック信号は、前記アンテナ回路に結合された受信機によって受信された前記キャリア信号を備える、と、
前記較正インピーダンスを前記キャリア周波数と関連付けることと、
を備える方法。
［Ｃ２０］
前記同調範囲において較正すべき次のキャリア周波数が存在すると決定することと、
前記同調範囲において前記次のキャリア周波数のキャリア信号を適用することと、
前記ループバック信号において共振ピークを作り出す前記次のキャリア周波数の前記キャリア信号についての較正インピーダンスを決定することと、
前記較正インピーダンスを前記次のキャリア周波数と関連付けることと、
をさらに備える、Ｃ１９に記載の方法。
［Ｃ２１］
前記キャリア周波数の関連付けに基づいて、所与のキャリア周波数に対して較正インピーダンスを適用すること
をさらに備える、Ｃ１９に記載の方法。
［Ｃ２２］
誘導的に結合された通信のための電子デバイスであって、
プロセッサと、
前記プロセッサと通信状態にあるメモリと、
前記メモリ内に記憶された命令であって、
同調範囲においてキャリア周波数のキャリア信号を適用すること、前記アンテナ回路は、共振周波数で共振する整合ネットワークとアンテナとを備える、と、
ループバック信号において共振ピークを作り出す前記適用されたキャリア周波数の前記キャリア信号についての較正インピーダンスを決定すること、前記ループバック信号は、前記アンテナ回路に結合された受信機によって受信された前記キャリア信号を備える、と、
前記較正インピーダンスを前記キャリア周波数と関連付けることと、
を前記プロセッサによって実行可能である前記命令、と
を備える電子デバイス。
［Ｃ２３］
前記同調範囲において較正すべき次のキャリア周波数が存在すると決定することと、
前記同調範囲において前記次のキャリア周波数のキャリア信号を適用することと、
前記ループバック信号において共振ピークを作り出す前記次のキャリア周波数の前記キャリア信号についての較正インピーダンスを決定することと、
前記較正インピーダンスを前記次のキャリア周波数と関連付けることと、
を実行可能な命令をさらに備える、Ｃ２２に記載の電子デバイス。
［Ｃ２４］
前記キャリア周波数の関連付けに基づいて、所与のキャリア周波数に対して較正インピーダンスを適用すること
を実行可能な命令をさらに備える、Ｃ２２に記載の電子デバイス。
［Ｃ２５］
誘導的に結合された通信のための装置であって、
同調範囲においてキャリア周波数のキャリア信号を適用するための手段、前記アンテナ回路は、共振周波数で共振する整合ネットワークとアンテナとを備える、と、
ループバック信号において共振ピークを作り出す前記適用されたキャリア周波数のキャリア信号についての較正インピーダンスを決定するための手段、前記ループバック信号は、前記アンテナ回路に結合された受信機によって受信された前記キャリア信号を備える、と、
前記較正インピーダンスを前記キャリア周波数と関連付けるための手段と
を備える装置。
［Ｃ２６］
前記同調範囲において較正すべき次のキャリア周波数が存在すると決定するための手段と、
前記同調範囲において前記次のキャリア周波数のキャリア信号を適用するための手段と、
前記ループバック信号において共振ピークを作り出す前記次のキャリア周波数の前記キャリア信号についての較正インピーダンスを決定するための手段と、
前記較正インピーダンスを前記次のキャリア周波数と関連付けるための手段と
をさらに備える、Ｃ２５に記載の装置。
［Ｃ２７］
前記キャリア周波数の関連付けに基づいて、所与のキャリア周波数に対して較正インピーダンスを適用するための手段
をさらに備える、Ｃ２５に記載の装置。
［Ｃ２８］
命令を有する非一時的なコンピュータ可読媒体を備えるコンピュータプログラム製品であって、前記命令は、
電子デバイスに、同調範囲においてキャリア周波数のキャリア信号を適用させるためのコード、前記アンテナ回路は、共振周波数で共振する整合ネットワークとアンテナとを備える、と、
前記電子デバイスに、ループバック信号において共振ピークを作り出す前記適用されたキャリア周波数の前記キャリア信号についての較正インピーダンスを決定させるためのコード、前記ループバック信号は、前記アンテナ回路に結合された受信機によって受信された前記キャリア信号を備える、と、
前記電子デバイスに、前記較正インピーダンスを前記キャリア周波数と関連付けさせるためのコードと、
を備える、コンピュータプログラム製品。
［Ｃ２９］
前記電子デバイスに、前記同調範囲において較正すべき次のキャリア周波数が存在すると決定させるためのコードと、
前記電子デバイスに、前記同調範囲において前記次のキャリア周波数のキャリア信号を適用させるためのコードと、
前記電子デバイスに、前記ループバック信号において共振ピークを作り出す前記次のキャリア周波数の前記キャリア信号についての較正インピーダンスを決定させるためのコードと、
前記電子デバイスに、前記較正インピーダンスを前記次のキャリア周波数と関連付けさせるためのコードと、
をさらに備える、Ｃ２８に記載のコンピュータプログラム製品。
［Ｃ３０］
前記電子デバイスに、前記キャリア周波数の関連付けに基づいて、所与のキャリア周波数に対して較正インピーダンスを適用させるためのコード
をさらに備える、Ｃ２８に記載のコンピュータプログラム製品。